(57)【特許請求の範囲】
【請求項１】
円周壁面に第１ギヤが形成された円筒状の台座が上面に設けられたベースプレートと、一端に機器取付け部及び他端に連結部が設けられた連結部材と、前記連結部材を前記台座に挟持固定する一対の第１及び第２カバー部材とを有し、前記第１及び第２カバー部材は、その基部で前記台座の円周壁面を挟持するとともに、この基部から上方へ延びた上部で前記連結部材の連結部を挟持した機器取付け用スタンドにおいて、
前記連結部材の連結部は、前記第１及び第２カバー部材のいずれか一方との挟持面に第２ギヤを備え、
前記第１及び第２カバー部材間には、ギヤ結合が離反する方向にバネ体により付勢された前記第１、第２ギヤと接離される第３、第４ギヤを有する回転止め部材を備え、
前記第１、第２ギヤと前記第３、第４ギヤとの接離を行う調節ツマミの移動に連動させて前記バネ体の付勢力により前記回転止め部材の前記第３、第４ギヤと前記第１、第２ギヤとを離反させることにより、前記第１、第２カバー部材を前記ベースプレート面に対して平行な面での回動及び前記連結部材を前記ベースプレート面から起立する方向への可動をできるようにしたことを特徴とする機器取付けスタンド。
【請求項２】
前記回転止め部材及び前記バネ体は、前記第１、第２カバー部材のいずれか一方のカバー部材に設けられた支持部材に移動自在に装着されていることを特徴とする請求項１に記載の機器取付けスタンド。
【請求項３】
前記支持部材は、長手方向に貫通した貫通孔を有する２本の筒状支持棒からなり、これらの支持棒にそれぞれ固着手段を挿通して前記第１、第２カバー部材が固定されていることを特徴とする請求項２に記載の機器取付けスタンド。
【請求項４】
前記回転止め部材は、両側に嵌合環を有し、これらの嵌合環が前記筒状支持棒にスライド自在に嵌入されていることを特徴とする請求項３に記載の機器取付けスタンド。
【発明の詳細な説明】
【技術分野】
【０００１】
本発明は機器取付けスタンドに係り、特に小型テレビジョンやカーナビゲーション等の小型電子機器を自動車等の車内に簡単に取付け固定できる機器取付けスタンドに関するものである。
【背景技術】
【０００２】
近年、テレビジョンやカーナビゲーション等の電子機器は、これまでの据え置き型或いは据付型のものに加えて小型、軽量化されて手軽に持ち運びができるポータブル型のものが開発・製品化されて家庭内から外へ持ち出し、いわゆるアウトドアで使用、例えば自動車内に持ち込み車内においてテレビ観戦や種々の情報収集等ができるようになってきている。
【０００３】
ところが、車内でこのような機器を使用しようとすると、車内には既に種々の機器が搭載されているためその取付けスペースが制限され、しかも運転席の近くに取付ける場合は運転者及び同乗者にも画面が見えるようにして欲しいとの要求があり、これらの状況から取付けが簡単にできて、しかも機器の表示画面を左右及び上下方向へ角度が調節できるようにした種々タイプの車輌用物品支持具が開発・製品化され同時に特許文献でも紹介されている（例えば、下記特許文献１〜３）。
【０００４】
図５は下記特許文献１に記載された車両用物品支持具を示す分解斜視図である。
この支持具３０は、上面に円柱状の支柱３２が立設されたベースプレート３１と、この支柱３２の外周囲に設けられた凹凸部３２ｂと噛み合う凹凸部３４ａを内周面に有し円周方向に回動可能な一対の挟持部材３４、３４と、これらの挟持部材３４、３４の間に挟持されて前後方向へ移動可能な支持部材３５とを備え、支持部材３５には、機器に装着される固定部材３７が取付けられる取付け部３６が一体に形成された構成を有している。
【０００５】
この支持具３０の組立ては、一対の挟持部材３４、３４の間に支持部材３５を介在させ、１本のボルト３８を一方の挟持部材３４の穴３４ｂ、支持部材３５の貫通孔３５ａ及び他の挟持部材３４の穴３４ｂに挿通し、このボルト３８の端部にツマミ３９をネジ止めして固定するようになっている。このネジ止めにより、支柱３２の外周囲に設けられた凹凸部３２ｂと一対の挟持部材３４の凹凸部３４ａとが噛み合うとともに、支持部材３５の凹凸部３５ｂと一対の挟持部材３４の凹凸部３４ｃとが噛み合わされて、ベースプレート３１に一対の挟持部材３４、３４及び支持部材３５が所定の姿勢を保持するように固定される。また、この支持具３０では、姿勢の変更、すなわち角度の変更調整はツマミ３９を緩めることにより行われる。ツマミ３９を緩めると各凹凸部の噛合が緩み、すなわち、凹凸部３２ｂと凹凸部３４ａとの噛合、及び、凹凸部３５ｂと凹凸部３４ｃとの噛合が外れ、支持部材３５の中心軸の仰角（ベースに対する上下方向の傾き角度）及び支持部材３５の中心軸に対する回転角（ベースに対する横向き角度）が変更できるようになる。
【０００６】
また、同様の車両用物品支持具が下記特許文献２でも紹介されている。特許文献２に開示されている支持具は、基板と、この基板に垂直に立設され上端が大外径部となる異径円柱状の支柱と、基端に球体が連接されるシャフトと、大外径部を収容する支柱収容凹部が形成され支柱、球体をそれぞれ収容して挟む一対の挟持部材と、支柱の軸線に直交方向から一対の挟持部材に相対回転貫通される雄ネジと、挟持部材から突出した雄ネジの先端に螺合して一対の挟持部材を締め付ける雌ネジ内蔵ツマミが設けられている。また、支柱収容凹部の円周方向の内周面及び支柱収容凹部の内周面と接触する大外径部の外周面にそれぞれ噛合する線凸条が設けられた構成を有している。この支持具によると、シャフト、すなわちこのシャフトに連結される機器を所定の好みの角度に位置決め固定することができる。
【０００７】
更に、下記特許文献３に開示されている支持具は、車体に固定されるベースと、小型電子機器を支持するホルダーとを備え、２枚の中間部材をベース及びホルダーに設けた長孔及びバネを介して支軸を貫通して締め付けて連結されるようになっている。そして、ホルダーは中間部材に対し、また中間部材はベースに対し、それぞれ長孔を介して起伏可能に、更に中間部材は支軸の周りに相互に回転可能にそれぞれ歯車形摩擦面を対向させ弾性力をもって圧接されていることから、前者の対の摩擦面でホルダーの起伏度合の仰角を調整し、後者の対の摩擦面でホルダーの回転度合の横向き角度を調整できるようになっている。
【０００８】
【特許文献１】実用新案登録第３０９１９７２号公報（図１、実用新案登録請求の範囲）
【特許文献２】実用新案登録第３０５８６１１号公報（図１、実用新案登録請求の範囲）
【特許文献３】特開２００３−３１２３７４号公報（図２、段落〔００３３〕〜〔００３６〕）
【発明の開示】
【発明が解決しようとする課題】
【０００９】
上記特許文献１、２に記載された車両用物品支持具は、一対の挟持部材の間に支持部材を介在させて、これらの部材に形成された貫通孔にボルトを挿通して、このボルトを調節ツマミで締め付けることにより、支持部材及び一対の挟持部材をベースプレートの支柱に位置決め固定する構造となっている。そして支持部材の角度調節は、調節ツマミを緩めて一対の挟持部材、支持部材及び支柱との結合を解くと同時にそれぞれの部品をバラバラに解体し、この解体したそれぞれ部品を所定の位置に動かして、これらの部品を微調整しながら再組立てするようになっている。このため、各部品を動かし再組立てする微調整が容易でなく、一つの部品を固定しても他の部品を位置決めしようとすると、既に位置決めした部品が動いてしまい各部品の微調整が極めて難しい作業となっている。また、調節ツマミを緩めたときに、ギヤを構成する凹凸部がしっかり噛合されて離れ難くなっている場合があり、このような場合は一対の挟持部材を両サイドから強く引っ張らなければ離脱できず、この作業は車内等の取付け面からベースプレートを外し手元に引き寄せて引離し作業をしなければならないこともあり、調節作業が容易にできない。
【００１０】
この点、上記特許文献３に記載された支持具は、バネ力を利用しているので、個々の部品をバラバラにする必要がないので、上記のような微調整を行う再組立てが不要となるが構造が複雑でしかもバネ力の調整が必要になっている。
【００１１】
本発明は、このような従来技術に鑑みてなされたものであって、本発明の目的は、簡単な構成で機器の取付け角度を容易に調節できるようにした機器取付けスタンドを提供することにある。
【課題を解決するための手段】
【００１２】
上記目的を達成するために、請求項１に記載の機器取付けスタンドの発明は、円周壁面に第１ギヤが形成された円筒状の台座が上面に設けられたベースプレートと、一端に機器取付け部及び他端に連結部が設けられた連結部材と、前記連結部材を前記台座に挟持固定する一対の第１及び第２カバー部材とを有し、前記第１及び第２カバー部材は、その基部で前記台座の円周壁面を挟持するとともに、この基部から上方へ延びた上部で前記連結部材の連結部を挟持した機器取付け用スタンドにおいて、
前記連結部材の連結部は、前記第１及び第２カバー部材のいずれか一方との挟持面に第２ギヤを備え、
前記第１及び第２カバー部材間には、ギヤ結合が離反する方向にバネ体により付勢された前記第１、第２ギヤと接離される第３、第４ギヤを有する回転止め部材を備え、
前記第１、第２ギヤと前記第３、第４ギヤとの接離を行う調節ツマミの移動に連動させて前記バネ体の付勢力により前記回転止め部材の前記第３、第４ギヤと前記第１、第２ギヤとを離反させることにより、前記第１、第２カバー部材を前記ベースプレート面に対して平行な面での回動及び前記連結部材を前記ベースプレート面から起立する方向への可動をできるようにしたことを特徴とする。
【００１３】
また、請求項２に記載の発明は、請求項１に記載の機器取付けスタンドにおいて、前記回転止め部材及び前記バネ体は、前記第１、第２カバー部材のいずれか一方のカバー部材に設けられた支持部材に移動自在に装着されていることを特徴とする。
【００１４】
また、請求項３に記載の発明は、請求項２に記載の機器取付けスタンドにおいて、前記支持部材は、長手方向に貫通した貫通孔を有する２本の筒状支持棒からなり、これらの支持棒にそれぞれ固着手段を挿通して前記第１、第２カバー部材が固定されていることを特徴とする。
【００１５】
また、請求項４に記載の発明は、請求項３に記載の機器取付けスタンドにおいて、前記回転止め部材は、両側に嵌合環を有し、これらの嵌合環が前記筒状支持棒にスライド自在に嵌入されていることを特徴とする。
【発明の効果】
【００１６】
本発明は上記構成を備えることにより以下に示すような優れた効果を奏するものである。すなわち、請求項１の発明によれば、第１、第２カバー部材間には、第１、第２ギヤと接離される第３、第４ギヤを有する回転止め部材がこれらのギヤ結合を離反する方向に付勢したバネ体を介在させて配設されたことにより、調節ツマミの操作により回転止め部材を移動させると、バネ体の付勢力により第３、第４ギヤが第１、第２ギヤから離脱されるので、第１、第２カバー部材の結合を解くことなく、第１、第２カバー部材をベースプレート面に対して平行な面での回動及び連結部材をベースプレート面から起立する方向への可動ができるようになり、機器が取付けられた連結部材の角度調節が簡単にできる。また、この角度調節は、第１、第２カバー部材の結合を解く、すなわち解体しないで調節できるので、従来技術で必要としていたような面倒な部品の再組立て作業が不要になり、調節時間を短縮して誰でも簡単に調節できるようになる。
【００１７】
請求項２の発明によれば、回転止め部材及びバネ体は、第１、第２カバー部材のいずれか一方のカバー部材に設けられた支持部材に移動自在に装着されているので、調節ツマミ操作時の回転止め部材の移動がスムーズになる。
【００１８】
請求項３の発明によれば、筒状支持棒は、回転止め部材及びバネ体の装着と、第１、第２カバー部材の固定に兼用できるので、部品数を減らし、組立てが簡単になる。また、筒状支持棒を２本にすることにより、第１、第２カバー部材の接合を安定にできるとともに、バネ体による回転止め部材の移動がスムーズになる。すなわち、支持棒を２本にすると、これらの支持棒を所定距離離して設けて第１、第２カバー部材を例えば左右バランスをとって固定でき、また、回転止め部材は、両支持棒に装着されたバネ体にガイドされて移動されるので、この移動がスムーズになる。
【００１９】
請求項４の発明によれば、回転止め部材のスライド移動がスムーズになる。
【発明を実施するための最良の形態】
【００２０】
以下、図面を参照して本発明の最良の実施形態を説明する。但し、以下に示す実施形態は、本発明の技術思想を具体化するための機器取付けスタンドを例示するものであって、本発明をこの機器取付けスタンドに特定することを意図するものではなく、特許請求の範囲に含まれるその他の実施形態のものも等しく適応し得るものである。
【実施例１】
【００２１】
図１は本発明の一実施例に係る機器取付けスタンドの概観斜視図、図２は図１の機器取付けスタンドを分解した分解斜視図、図３は回転止め部材の斜視図、図４は図１の機器取付けスタンドにおいて第２カバー部材及び固定部材を取り外した状態を示す斜視図である。
【００２２】
この機器取付けスタンド１は、図１、図２に示すように、上面に所定大きさの台座４が固定され車内のダッシュボード等の平坦面に載置固定されるベースプレート２と、一端が小型機器に装着される固定部材１８が着脱自在に取付けられる取付け部１６、他端が第１、第２カバー部材６ａ、６ｂに挟持されて前後方向へ起伏可動できる連結部を構成している連結部材１５と、この連結部材１５をベースプレート２に固定された台座４に回転自在に結合する一対の第１、第２カバー部材６ａ、６ｂとを備え、連結部材１５と台座４とは回転止め部材１０で結合された構成を有している。以下にはこの機器取付けスタンド１を構成する個々の部品を順次説明する。
【００２３】
ベースプレート２は、図２に示すように、小型機器が取付けられても転倒しない比較的広い底面積を有する半楕円形状の基板からなり、この半楕円形の上面の中心部近傍に台座４が載置固定される円形突起部３が形成されている。このベースプレート２は、中心部近傍に設けられている円形突起部３の外周近傍から、外周方向へ向けて所定角度で複数本のスリット２ａが略放射状に形成されて複数枚のプレート片２１〜２ｎに分離され、これらのプレート片２１〜２ｎの外周囲付近には、ベースプレート２をビス止め固定するための取付け孔２ｂが形成されている。このベースプレート２が複数枚のプレート片２１〜２ｎに分割されていることにより、取付け面の形状に合わせて個々のプレート片２１〜２ｎを折曲させることができるので、取付け面への載置・固定が容易になる。また、ベースプレート２は、その底面が車輌内の支持面に両面接着体を介して貼着されるようになっている。
【００２４】
台座４は、ベースプレート２の円形突起部３の直径より小さい直径を有する柱状部４ａと、この柱状部４ａの上方にあって柱状部４ａより直径の大きな所定厚の円盤４ｂと、この円盤４ｂの中心部にあって円盤４ｂの直径より小さく外周囲に複数個の第１ギヤ４１が形成されたギヤ円盤４ｃとを有し、第１ギヤ４１は、ギヤ円盤４ｃの外周囲に垂直方向へ所定ピッチの鋸状歯で形成されている。各柱状部４ａ、円盤４ｂ及びギヤ円盤４ｃは合成樹脂材等で一体に形成されている。また、この台座４には、底辺から上辺に貫通する複数本のネジ取付け孔４２が形成され、この取付け孔４２の内周面に雌ネジが形成されて、ベースプレート２のネジ孔３１から挿入されるネジ５によってベースプレート２と一体にネジ止めされる。この台座４がベースプレート２の円形突起部３に載置されネジ止めされると、ベースプレート２の表面と円盤４ｂとの間に柱状部４ａの高さ分の隙間が形成され、後述する第１、第２カバー部材６ａ、６ｂが結合されたときその回動が円滑になる。
【００２５】
一対の第１、第２カバー部材６ａ、６ｂは、立設した結合状態において外形が砲弾の弾頭に似た形状を有し、これらの第１、第２カバー部材６ａ、６ｂは、この弾頭を垂直方向から左右にほぼ２等分されたものとなっている。したがって、第１、第２カバー部材６ａ、６ｂは、外形がほぼ同じ形状となっている。
【００２６】
第１カバー部材６ａは、基部６１が半円筒体をなし上部がこの半円筒体より小さくその上部先端部が円形の側壁６２となっている。この半円筒体からなる基部６１の直径は、台座４の円盤４ｂの直径より若干大きくなっており、その内周底面には円盤４ｂの外周縁が嵌入される凹状溝６０が形成されている。内周面に凹状溝６０を設けると、組立て時、円盤４ｂの外周縁がこの凹状溝６０内に嵌入・ガイドされて回動がスムーズになる。
【００２７】
また、第１カバー部材６ａは、側壁６２から他方のカバー部材６ｂに向かって水平方向へ突出した第１円筒体７ａと、３個のネジ挿通孔８１〜８３とが形成されている。この第１円筒体７ａは、連結部材１５の環状体１５ａの開口に差込まれる大きさに形成されている。３個のネジ挿通孔８１〜８３のうち、１個のネジ挿通孔８１（なお、第１カバー部材６ａのネジ挿通孔８１は図２では隠れている）は第１円筒体７ａの同軸線上に形成され、他のネジ挿通孔８２、８３は、半円筒体の基部６１に形成されている。これらのネジ挿通孔８１〜８３は、ネジ挿通孔８１を頂点として他の装着孔８２、８３がほぼ正三角形の底辺の角部に対応する位置に形成されていると好ましい。正三角形の各頂点にネジ挿通孔を形成することにより、第１、第２カバー部材６ａ、６ｂをネジ止めしたときにこのカバー部材６ａ、６ｂ同士の接合が安定になる。
【００２８】
第２カバー部材６ｂは、基部６１が第１カバー部材６ａと同じ形状の半円筒体からなり、その内周底面に凹状溝が形成されている。この第２カバー部材６ｂは、その上方の側壁６２に水平方向へ突出した第２円筒体７ｂが一体に形成され、この第２円筒体７ｂは、連結部材１５の環状体１５ａの貫通孔１５ｂの外周部に差込まれる大きさに形成されている。また、第２カバー部材６ｂの側壁６２には、第１カバー部材６ａのネジ挿通孔８１〜８３に対応する箇所に３個のネジ挿通孔８'１〜８'３及び調節ツマミ１４のネジ棒１４ｂが挿通されるネジ装着孔８４が形成されている。このネジ装着孔８４は、各ネジ挿通孔８１〜８３の中心部、すなわち三角形の各頂点に設けられたネジ挿通孔８１〜８３の中心部に形成されている。また、このネジ装着孔８４の内周には雌ネジが形成されている。
【００２９】
更に、第２カバー部材６ｂの側壁６２の内側には、３個のネジ挿通孔８１〜８３に連通した貫通孔を有する細長い円筒型の第１〜第３筒状支持棒８ａ〜８ｃがそれぞれ一方のカバー部材６ａに向かって水平方向へ突出して形成され、これらの筒状支持棒８ａ〜８ｃの長さは、第１カバー部材６ａと結合した状態で、第１カバー部材６ａのそれぞれの対応するネジ挿通孔８１〜８３に到達する長さになっている。これらの筒状支持棒８ａ〜８ｃのうち、第１筒状支持棒８ａは第２円筒体７ｂの同軸線上に設けられているとともに、第１カバー部材６ａの第１円筒体７ａへ挿入されてボルト９ａの挿通をガイドするとともに回転止め部材１０の移動をガイドする。また、第２、第３筒状支持棒８ｂ、８ｃには、回転止め部材１０の嵌合環１１ａ、１１ｂ及びコイル状のバネ体１３が挿通される。なお、ここでは第１〜第３筒状支持棒８ａ〜８ｃを第２カバー部材６ｂに設けたが、第１カバー部材６ａに設けてもよい。また、第２円筒体７ｂは下方部の外周壁が所定長さ切除され、この位置に後述する回転止め部材１０の上部が位置し、この回転止め部材１０が側壁６２側へ移動できるようになっている。
【００３０】
調節ツマミ１４は、ツマミ部１４ａとこのツマミ部１４ａに結合されたネジ棒１４ｂからなり、ネジ棒１４ｂは所定の長さを有し、側壁６２に設けられたネジ装着孔８４の雌ネジに螺合され、この状態でツマミ部１４ａをネジ込むことにより回転止め部材１０に先端部が当接し、回転止め部材１０を水平方向に移動させることで第３、第４ギヤ１０２、１０１を第１、第２ギヤ４１、１５１に噛合させるようになっている。
【００３１】
連結部材１５は、一端が小型テレビジョン等の機器を固定する固定部材１８が差込装着される取付け部１６を形成し、他端が一対の第１、第２カバー部材６ａ、６ｂに挟持されて所定角度に回動される環状の連結部１５０を形成している。取付け部１６は、固定部材１８の外形に合わせたほぼ正方形状の板体からなり、この板体の上方を除く外周縁、すなわち底部及び両側部に固定部材１８が差込まれる収容凹溝１６ａが形成されている。また、この取付け部１６には、固定部材１８が差込み装着されたときに上方へ引き抜かれないように係止する係止手段１７が装着されている。
【００３２】
連結部１５０は、取付け部１６の背面から直立、すなわち水平方向へ突出した環状体１５ａからなり、この環状体１５ａは第１、第２円筒体７ａ、７ｂを収容できる大きさを有し、かつ連結部材１５が第１、第２円筒体７ａ、７ｂの外周囲で回動できるようになっている。また、この連結部１５０は、その中心部に第１筒状支持棒８ａが挿入される貫通孔１５ｂを有し、この貫通孔１５ｂは環状体１５ａの軸心を貫通するようにその内周面に連結された側壁に形成されている。この側壁の一側面（例えば図２に示すように第２カバー部材６ｂが位置する側面）には第２ギヤ１５１が形成されている。この第２ギヤ１５１は、貫通孔１５ｂから外方へ放射状に形成された所定ピッチの鋸状歯からなり、回転止め部材１０の第４ギヤ１０１と噛合される。
【００３３】
固定部材１８は、合成樹脂等からなるほぼ正方形状の板材からなり、外周囲縁の一部、すなわち両側辺及び底辺に取付け部１６の収容凹溝１６ａに差込まれるガイド突起１８ａ、上辺に係止部の爪が挿入される係止溝（図示省略）が形成されている。また、この固定部材１８の中心部には機器取付け用ネジ穴１９が設けられている。この固定部材１８は、機器取付け用ネジ穴１９で機器にネジ止めされる。
【００３４】
回転止め部材１０は、図３及び図４に示すように、所定の太さ及び高さを有する直方体ブロックからなり、このブロックの下端の一側面に第１ギヤ４１と噛合される第３ギヤ１０２及び上端の同一側面上に第２ギヤ１５１と噛合される第４ギヤ１０１が形成されている。第３ギヤ１０２が形成される側面は、第１ギヤ４１に噛み合うように、また台座の円周に当接するように湾曲され、この湾曲面に設けられた垂直方向に延びる所定ピッチの鋸状歯からなる。第４ギヤ１０１が形成される面は、第２ギヤ１５１に噛み合わせるために円形側壁に当接するように湾曲され、この湾曲面に放射状に設けられた所定ピッチの鋸状歯からなる。更に、直方体ブロックの上端は、第１筒状支持棒８ａの外周面に当接して移動方向が案内されるように湾曲した窪み部１０ａが形成されている。また、第３、第４ギヤ１０２、１０１の間には、所定幅の凹状溝１０ｂが形成されているとともに、両ギヤ１０２、１０１が設けられた側面から立設するように腕部１０ｃが延出され、これらの腕部１０ｃは第３ギヤ１０２の上に設けられ、腕部１０ｃの左右先端部にそれぞれ嵌合環１１ａ、１１ｂが形成されている。また、直方体ブロックの背面１０ｄは、調節ツマミ１４のネジ棒１４ｂの先端が当接される当接面となっている。そして、凹状溝１０ｂには、組立て時に連結部材１５の環状体１５ａの外周部が挿入される。なお、前記回転止め部材１０は合成樹脂によって成形されているので、前記ネジ棒１４ｂの当接表面となる背面１０ｄに金属プレートを埋設し、この金属プレートにネジ棒１４ｂの先端を当接することにより樹脂表面の削れを防止することができる。
【００３５】
次に、この機器取付けスタンドの組立て手順及び使用法を説明する。
機器取付けスタンド１の組立ては、先ず、台座４をベースプレート２の円形突起部３に載置してネジ５により固定する。次いで、第１、第２カバー部材６ａ、６ｂのうち、第１カバー部材６ａを、その凹状溝６０が台座４の円盤４ｂの外周縁に嵌合されるように当接させておき、第２カバー部材６ｂを同様の方法で当接して第１、第２カバー部材６ａ、６ｂで連結部材１５を挟持して台座４に固定する。すなわち、第２カバー部材６ｂは、その側壁のネジ装着孔８４に調節ツマミ１４のネジ棒１４ａを螺着したのちネジ棒１４ａの先端に抜け止め部材１４ｃを装着し、第２、第３筒状支持棒８ｂ、８ｃに回転止め部材１０の嵌合環１１ａ、１１ｂ及びバネ体１３を差込み、また、第１筒状支持棒８ａに連結部材１５の貫通孔１５ｂを挿通して第２円筒体７ｂを環状体１５ａ内に嵌入させて、第１カバー部材６ａと同様に凹状溝が台座４の円盤４ｂの外周縁に嵌合させて台座４の外周面に当接させる。そして３本のボルト９ａをそれぞれネジ挿通孔８１〜８３に挿入してナット９ｂで締め付け固定する。
【００３６】
この締め付けにより、連結部材１５の連結部１５０が第１、第２カバー部材６ａ、６ｂの第１、第２円筒体７ａ、７ｂで、また台座４が第１、第２カバー部材６ａ、６ｂの半円筒体の基部６１、６１で、かつバネ体１３が圧縮された状態でそれぞれ挟持・固定される。また、回転止め部材１０は、調節ツマミ１４が押し込まれていない状態では、第２、第３筒状支持棒８ｂ、８ｃに挿通されたバネ体１３により第２カバー部材６ｂ側へ押圧されて、この回転止め部材１０の第３、第４ギヤ１０２、１０１が第１、第２ギヤ４１、１５１から離脱している。
【００３７】
この状態では、連結部材１５はベースプレート２に対して上下方向へ起伏可動させることができ、また、第１、第２カバー部材６ａ、６ｂは、台座４の回りをベースプレート２の面と平行な面において回動可能になるので、連結部材１５を好みの位置に回動ないし移動できる。すなわち、この連結部材１５に固定部材１８を取付けた機器を装着することにより、好みの位置に機器を動かすことができる。
【００３８】
次いで、このように連結部材１５を所定の位置に移動した後に、調節ツマミ１４を回してネジ棒１４ａを第２カバー部材６ｂに押し込むと、ネジ棒１４ａの先端部の押し込みに伴って回転止め部材１０の背面１０ｄが押し込まれ、よって回転止め部材１０がバネ体１３の反発力に抗してスライド移動し、この回転止め部材１０の第３、第４ギヤ１０２、１０１が第１、第２ギヤに噛合されることで連結部材１５が固定される。この固定により、ベースプレート２、第１、第２カバー部材６ａ、６ｂ及び連結部材１５が固定されるので、連結部材１５が所定の位置にロック固定される。
【００３９】
また、連結部材１５の位置を変更する場合、すなわち、この連結部材１５に取付けられた機器の位置を変更する場合は、先ず、調節ツマミ１４を逆方向へ戻す。すると、ネジ棒の先端が後退し始めると同時にバネ体１３のバネ圧により回転止め部材１０が第２カバー部材６ｂ側へ移動されて、この回転止め部材１０の第３、第４ギヤ１０２、１０１が第１、第２ギヤ４１、１５１から離脱されて、連結部材１５がベースプレート２に対して垂直方向へ自由に起伏可動させることができるようになるとともに第１、第２カバー部材６ａ、６ｂが台座４の回りをベースプレート２の面と平行な面で自由に回動できるようになる。この状態で連結部材１５及び第１、第２カバー部材６ａ、６ｂを所定の好みの位置に動かし、再び調節ツマミ１４を締め付けるとこれらの部品が好みの位置に固定される。したがって、この構成によると、第１、第２カバー部材６ａ、６ｂの結合を解くことなく連結部材１５の位置調節ができる。
【図面の簡単な説明】
【００４０】
【図１】図１は本発明の実施例に係る機器取付けスタンドの概観斜視図である。
【図２】図２は図１の機器取付けスタンドを分解した分解斜視図である。
【図３】図３は回転止め部材の斜視図である。
【図４】図４は図１の機器取付けスタンドにおいて第２カバー部材及び固定部材を取り外した状態を示す斜視図である。
【図５】図５は従来技術の車両用物品支持具を示す分解斜視図である。
【符号の説明】
【００４１】
１                機器取付けスタンド
２                ベースプレート
３                円形突起部
４                台座
４１              第１ギヤ
６ａ、６ｂ        第１、第２カバー部材
８ａ〜８ｃ        第１〜第３筒状支持棒
１０              回転止め部材
１０２、１０１  第３、第４ギヤ
１１ａ、１１ｂ    嵌合環
１４              調節ツマミ
１５              連結部材
１５０            連結部
１５１            第２ギヤ
１６              取付け部
１８              固定部材
【図１】
0004708160.tif 000002
【図２】
0004708160.tif 000003
【図３】
0004708160.tif 000004
【図４】
0004708160.tif 000005
【図５】
0004708160.tif 000006